(57)【要約】【課題】二次電池を使用した照明を行ないつつ、この二次電池への充電を通常の使用状態で意識することなく行ない、残存容量を極力確保しておくための照明器具を提供する。【解決手段】二次電池２が装着された通信携帯端末本体３と、二次電池の一対の電極４・５に電気的に接続される電力線６が設けられた可撓性を有する絶縁フィルム７と、絶縁フィルムに一体に設けられ、電力線に電気的に接続された発光体８と、通信携帯端末本体に、二次電池を覆って装着される電池カバー９とを備え、絶縁フィルムの電力線の一端部が、通信携帯端末本体に設けられた電極１０・１１若しくはこれらの電極に接続される二次電池の電極に着脱可能に電気的に接続されており、絶縁フィルムの長さ方向の中間部が、電池カバーによって通信携帯端末本体内に収納され、かつ、他端部が、電池カバーと通信携帯端末本体との隙間から外部へ引き出された構成となっている。【選択図】図１
0003172916.tif 000002
【実用新案登録請求の範囲】
【請求項１】
電源となる二次電池が装着された通信携帯端末本体と、前記二次電池の一対の電極に電気的に接続される電力線が設けられた可撓性を有する絶縁フィルムと、この絶縁フィルムに一体に設けられ、前記電力線に電気的に接続された発光体と、前記通信携帯端末本体に、前記二次電池を覆って装着される電池カバーとを備え、前記絶縁フィルムの電力線の一端部が、前記通信携帯端末本体に設けられた電極若しくはこれらの電極に接続される前記二次電池の電極に着脱可能に電気的に接続されており、前記絶縁フィルムの長さ方向の中間部が、前記電池カバーによって前記通信携帯端末本体内に収納され、かつ、他端部が、前記電池カバーと前記通信携帯端末本体との隙間から外部へ引き出されていることを特徴とする照明器具。
【請求項２】
前記電力線が、前記絶縁フィルムに蒸着によって形成されていることを特徴とする請求項１に記載の照明器具。
【請求項３】
前記電力線が、前記絶縁フィルムに印刷によって形成されていることを特徴とする請求項１に記載の照明器具。
【請求項４】
前記発光体が発光ダイオードであることを特徴とする請求項１に記載の照明器具。
【請求項５】
前記絶縁フィルムの他端部が、前記通信携帯端末に着脱可能に止着されていることを特徴とする請求項１に記載の照明器具。
【考案の詳細な説明】
【技術分野】
【０００１】
本考案は照明器具に関わり、特に、携帯可能な照明器具に関するものである。
【背景技術】
【０００２】
一般に、携帯可能な照明器具として、乾電池を用いた懐中電灯が広く普及している。
ところで、このような一般的な懐中電灯にあっては、電源となる乾電池の残存容量を常に確認しておくことは希で、使用時の光量によって乾電池の消耗状態を確認することが殆どである。
【０００３】
また、懐中電灯に装着した乾電池の消耗に備えて予備の乾電池を用意しておくことも希で、消耗を確認した時点で新たな乾電池を購入することが殆どであって、必要なときに使用できない場合もしばしばである。
【０００４】
このような問題点を解消する一従来例として、電源に、充放電可能な二次電池を用いた照明器具が提案されている（特許文献１）。
【先行技術文献】
【特許文献】
【０００５】
【特許文献１】特開２０１１−６５８１４号公報
【考案の概要】
【考案が解決しようとする課題】
【０００６】
前述した従来の技術によって、残存容量が少なくなった時点で、家庭用電源等を用いて二次電池に充電することにより、予備の乾電池を用意することなく使用できるようになったが、なお、つぎのような解決すべき問題点が残されている。
【０００７】
すなわち、照明器具、特に、懐中電灯にあっては、停電時等の緊急時に使用することが多いことから、主に家庭用電源を用いて充電を行なうことの多い前述した照明器具では、緊急時に充電ができず使用できない状態が生じる。
【０００８】
また、このような状況を想定して、常に満充電状態に保持することは、日常生活の上で行なわれていないのが現状である。
【０００９】
本考案は、前述した従来の技術において残されている問題点を解決することができる照明器具を提供することを課題とする。
【課題を解決するための手段】
【００１０】
本考案の請求項１に記載の照明器具は、電源となる二次電池が装着された通信携帯端末本体と、前記二次電池の一対の電極に電気的に接続される電力線が設けられた可撓性を有する絶縁フィルムと、この絶縁フィルムに一体に設けられ、前記電力線に電気的に接続された発光体と、前記通信携帯端末本体に、前記二次電池を覆って装着される電池カバーとを備え、前記絶縁フィルムの電力線の一端部が、前記通信携帯端末本体に設けられた電極若しくはこれらの電極に接続される前記二次電池の電極に着脱可能に電気的に接続されており、前記絶縁フィルムの長さ方向の中間部が、前記電池カバーによって前記通信携帯端末本体内に収納され、かつ、他端部が、前記電池カバーと前記通信携帯端末本体との隙間から外部へ引き出されていることを特徴としている。
【００１１】
このような構成とすることにより、二次電池を通信携帯端末本体に装着する際に、前記二次電池と通信携帯端末本体との間に絶縁フィルムの一端部を挟み込み、その際に、相互に電気的に接続される前記二次電池の一対の電極と前記通信携帯端末本体の一対の電極とに、前記絶縁フィルムに形成されている電力線を電気的に接続する。
【００１２】
これによって、前記絶縁フィルムの他端部に接続されている発光体に電力が供給され、この発光体が発光して照明機能が得られる。
【００１３】
これより、前記絶縁フィルムを、前記通信携帯端末本体に装着された二次電池に沿うように湾曲させた状態で、前記通信携帯端末本体に、前記二次電池を覆うように電池カバーを装着するとともに、この電池カバーと前記通信携帯端末本体の隙間から前記絶縁フィルムの他端部を引き出した状態で、前記電池カバーを前記通信端末携帯本体に係止する。
【００１４】
前記電池カバーの装着により、前記通信携帯端末本体、絶縁フィルム、発光体、および、電池カバーが一体化され、照明器具が構成される。
【００１５】
一方、照明が不要になった時点で、前述した手順と逆の手順によって前記絶縁フィルムを取り外すことにより、発光体の発光を停止するとともに、前記二次電池と電池カバーを再装着することによって、通信携帯端末を本来の機能に戻すことができる。
もちろん照明器具として使用している状態でも通信携帯端末としての機能は保持される。
【００１６】
そして、通常、通信携帯端末は、不使用時には、充電ケーブルや充電ボックスに接続して充電状態におくことが習慣的に行なわれていることから、意識することなく充電操作が行なわれ、したがって、ある程度の電池容量が常に確保され、停電等の緊急時における使用であっても対応可能である。
【００１７】
また、前記発光体は、前記通信携帯端末から引き出された可撓性を有する絶縁フィルムの他端部に取り付けられていることから、前記通信携帯端末の向きに係わらず、照明方向を変更することができ、使い勝手が極めて良好である。
【００１８】
本考案の請求項２に記載の照明器具は、請求項１に記載の前記電力線が、前記絶縁フィルムに蒸着によって形成されていることを特徴としている。
【００１９】
このような構成とすることにより、前記電力線と絶縁フィルムとの接着強度が高く、かつ、厚みを極力抑えることができるので、前述した絶縁フィルムの装着時における湾曲処理や折曲処理が容易となる。
【００２０】
本考案の請求項３に記載の照明器具は、請求項１に記載の前記電力線が、前記絶縁フィルムに印刷によって形成されていることを特徴としている。
【００２１】
このような構成とすることにより、前記電力線の形成が容易となるとともに、その形成パターンの自由度が増す。
【００２２】
本考案の請求項４に記載の照明器具は、請求項１に記載の前記発光体が発光ダイオードであることを特徴としている。
【００２３】
このような構成とすることにより、照明に必要な電力を抑制して、照明機能の継続時間を増加させることができる。
【００２４】
本考案の請求項５に記載の照明器具は、請求項１に記載の前記絶縁フィルムの他端部が、前記通信携帯端末に着脱可能に止着されていることを特徴としている。
【００２５】
このような構成とすることにより、前記絶縁フィルムを前記通信携帯端末に止着した状態において、前記発光体と前記通信携帯端末との相対移動を制約することにより、照明方向の安定化を図ることができる。
【考案の効果】
【００２６】
本考案によれば、二次電池を通信携帯端末本体に装着する際に、前記二次電池と通信携帯端末本体との間に絶縁フィルムの一端部を挟み込み、その際に、相互に電気的に接続される前記二次電池の一対の電極と前記通信携帯端末本体の一対の電極とに、前記絶縁フィルムに形成されている電力線を電気的に接続し、これによって、前記絶縁フィルムの他端部に接続されている発光体に電力が供給され、この発光体が発光して照明機能が得られる。
これより、前記二次電池を覆うように電池カバーを装着するとともに、この電池カバーと前記通信携帯端末本体の隙間から前記絶縁フィルムの他端部を引き出した状態で、前記電池カバーを前記通信端末携帯本体に係止し、前記通信携帯端末本体、絶縁フィルム、発光体、および、電池カバーが一体化され、照明器具が構成される。
【００２７】
そして、通常、通信携帯端末は、不使用時には、充電ケーブルや充電ボックスに接続して充電状態におくことが習慣的に行なわれていることから、意識することなく充電操作が行なわれ、したがって、ある程度の電池容量が常に確保され、停電等の緊急時における使用であっても対応可能である。
【図面の簡単な説明】
【００２８】
【図１】本考案の一実施形態を示す分解斜視図である。
【図２】本考案の一実施形態を示すもので、絶縁フィルムの拡大図である。
【図３】本考案の一実施形態を示すもので、組み立て手順を示す斜視図である。
【図４】本考案の一実施形態を示すもので、組み立て手順を示す斜視図である。
【図５】本考案の一実施形態を示すもので、組み立て手順を示す斜視図である。
【図６】本考案の一実施形態を示す外観斜視図である。
【図７】本考案の一使用例を示す側面図である。
【図８】本考案の一使用例を示す要部の外観斜視図である。
【図９】本考案の一使用例を示す要部の外観斜視図である。
【図１０】本考案の変形例を示すもので、電力線の接続部の拡大図である。
【図１１】本考案の他の変形例を示すもので、絶縁フィルムの外観斜視図である。
【図１２】本考案の他の変形例を示すもので、図１１の要部の縦断面図である。
【図１３】本考案のさらに他の使用例を示す要部の外観斜視図である。
【考案を実施するための形態】
【００２９】
以下、本考案の一実施形態を図１ないし図５を参照して説明する。
図１において符号１で示す本実施形態に係わる照明器具は、電源となる二次電池２が装着される通信携帯端末本体３と、前記二次電池２の一対の電極４・５に電気的に接続される電力線６・６が設けられた可撓性を有する絶縁フィルム７と、この絶縁フィルム７に一体に設けられ、前記電力線６・６に電気的に接続された発光体８と、前記通信携帯端末本体３に、前記二次電池２を覆って装着される電池カバー９とを備え、前記絶縁フィルム７の電力線６・６の一端部が、前記通信携帯端末本体３に設けられた電極１０・１１若しくはこれらの電極１０・１１に接続される前記二次電池２の電極４・５に着脱可能に電気的に接続されており、前記絶縁フィルム７の長さ方向の中間部が、前記電池カバー９によって前記通信携帯端末本体３内に収納され、かつ、他端部が、前記電池カバー９と前記通信携帯端末本体３との隙間から外部へ引き出されていることを特徴としている。
【００３０】
ついでこれらの詳細について説明すれば、前記絶縁フィルム７は、絶縁材料によって長尺状に形成されており、好ましくは約０．０５ミリメートルの厚みに形成されて十分な可撓性を備えた材料によって形成されている。
【００３１】
前記電力線６は、導電性材料を蒸着若しくは印刷することによって形成されており、それぞれの一端部は、図２に詳述するように、前記絶縁フィルム７の一端部において開口された略円弧状に形成された接続部６ａとなされ、これらの接続部６ａは、その内径が、前記通信携帯端末本体３に設けられている前記電極１０・１１の外径とほぼ等しくなされている。
前述のように、蒸着によって形成した場合には、電力線６と絶縁フィルム７との接着強度が高まる利点があり、また、印刷によって形成した場合には、電力線６の形成工程が簡素化され、あるいは、形成パターンの多様化が容易である利点がある。
【００３２】
そして、前記各接続部６ａは、前記通信携帯端末本体３に設けられている前記各電極１０・１１にその径方向から嵌合させられて、これらの電極１０・１１に電気的に接続されるようになっている。
【００３３】
前記電極１０・１１は、前記通信携帯端末本体３の裏面に形成された断面長方形状の電池収納凹部３ａの内壁面に植設されている。
【００３４】
前記二次電池２の各電極４・５は、この二次電池２を前記電池収納凹部３ａに装着した状態において、前記通信携帯端末本体３の各電極１０・１１に、それぞれ、好ましくは弾性的に接触させられるようになっている。
【００３５】
また、前記発光体８は、本実施形態においては発光ダイオードが用いられている。
これは、照明時の消費電力を軽減することと軽量化のためであるが、これに限定されるものではなく、二次電池２の電気容量等に基づいて他の発光体を用いることも可能である。
【００３６】
前記電池カバー９は、その長手方向の寸法が、前記電池収納凹部３ａの長手方向の寸法よりも僅かに短く設定されている。
その差は、前記絶縁フィルム７を挿通させる隙間を形成できる値である。
【００３７】
このような構成を有する本実施形態に係わる照明器具１は、二次電池２を通信携帯端末本体３に装着するのに先だって、前記通信携帯端末本体３の電池収納凹部３ａ内に、前記絶縁フィルム７の一端部を挿入するとともに、その一端部に設けられている前記各接続部６ａを、前記電池収納凹部３ａ内に突出する前記各電極１０・１１に径方向から嵌合させて、これらと電気的に接続し（図３参照）、ついで、前記電池収納凹部３ａ内に前記二次電池２を装着し（図４参照）、さらに、図５に示すように、前記絶縁フィルム７を前記二次電池２に沿うように折曲させた後に、前記電池収納凹部３ａを覆うように電池カバー９を装着することによって組み上げられる。
【００３８】
ここで、前記二次電池２の装着時に、この二次電池２と前記電池収納凹部３ａの内壁との間に、前記絶縁フィルム７の一端部が挟持されることが好ましい。
このような構成とすることにより、前記電極１０・１１と前記電力線６・６との電気的な接触が良好となるとともに、前記絶縁フィルム７の一端部の固定が確実なものとなる。
【００３９】
また、前記電池カバー９を装着する際に、前記絶縁フィルム７が、前記電池カバー９と前記電池収納凹部３ａとの隙間から前記絶縁フィルムの他端部を引き出した状態で装着する。
【００４０】
以上の手順で、前記通信携帯端末本体３、絶縁フィルム７、発光体８、および、電池カバー９が一体化されて照明器具１が構成される。
そして、前記絶縁フィルム７を電極１０・１１に接続し二次電池２を装着した時点で、この二次電池２の電力が前記発光体８へ供給されて光の照射が開始されるが、実用上は、前記電池カバー９を装着した状態で使用に供される。
【００４１】
ここで、前記絶縁フィルム７が通信携帯端末本体３から引き出された状態で光の照射がなされていることから、前記絶縁フィルム７の可撓性を利用して、前記通信携帯端末本体３の姿勢に左右されずに、光の照射方向を変更し、目的の場所の照明を行なうことができる。
【００４２】
ここで、前記絶縁フィルム７の引き出された部分を、たとえば、粘着テープやベルベット式ファスナーと称される固定手段を用いて、前記通信携帯端末本体３に固定して使用することも可能である。
【００４３】
一方、照明が不要になった時点で、前述した手順と逆の手順によって前記絶縁フィルム７を取り外すことにより、発光体８の発光を停止するとともに、前記二次電池２と電池カバー９を再装着することによって、通信携帯端末本体３を本来の機能に戻すことができる。もちろん照明器具として使用している状態でも通信携帯端末としての機能は保持される。
【００４４】
そして、通常、通信携帯端末本体３は、不使用時には、充電ケーブルや充電ボックスに接続して充電状態におくことが習慣的に行なわれていることから、意識することなく充電操作が行なわれ、したがって、ある程度の電池容量が常に確保され、停電等の緊急時における使用であっても対応可能である。
【００４５】
さらに、図７ないし図９は、前述した一実施形態の使用例を示すもので、自転車２０のヘッドライト２１として使用した例である。
【００４６】
ヘッドライト２１として使用するには、図７ないし図９に示すように、自転車２０のハンドル２２部分に、前記照明器具１を装着するためのホルダー２３を装着し、前記絶縁フィルム７の他端部を前記通信携帯端末本体３に固定手段を介して固定した状態で、図８に矢印で示すように、前記照明器具１を前記ホルダー２３に差し込んで固定することにより、図７および図９に示すように、使用状態とすることができる。
【００４７】
なお、前述した実施形態において示した各構成部材の諸形状や寸法等は一例であって、設計要求等に基づき種々変更可能である。
【００４８】
たとえば、前記実施形態においては、下方が開放された半円弧状の接続部６ａを例示したが、これに代えて、図１０に示すように、円状の接続部６ｂとすることもできる。
このような構成とすると、前記接続部６ｂを、電極１０・１１にその長さ方向の端部から嵌合させて電気的に接続することにより、前記電力線６の抜け止め効果を確保することができる。
【００４９】
また、図１１に示すように、前記絶縁フィルム７および電力線６を長さ方向において２分割し、これらをスイッチ２４を介して接続し、このスイッチ２４によって両電力線６の電気的接続および切断を行うようにしてもよい。
【００５０】
前記スイッチ２４は、たとえば、図１２に示すように、前記両絶縁フィルム７が、これらの電力線６が互いに対向するように挿通される貫通孔２５ａが形成されたスライダー２５と、このスライダー２５の内部に、前記両絶縁フィルム７を挟み込むようにして設けられ、これらの絶縁フィルム７を面接触させることにより前記電力線６を相互に電気的に接続する一対の押圧ロッド２６と、これらの押圧ロッド２６を挟んだ両側に設けられ、前記対向状態にある前記両絶縁フィルム７を離間した状態に保持する一対のガイドロッド２７とによって構成されている。
【００５１】
このスイッチ２４は、図１２（ａ）に示すように、前記スライダー２５を一方向にスライドさせた状態において、前記一対の押圧ロッド２６によって対向状態にある両絶縁フィルム７を面接触させて、それぞれに形成されている電力線６どうしを接触させて通電状態とし、図１２（ａ）に矢印で示す方向に前記スライダー２５をスライドさせることにより、図１２（ｂ）に示すように、一方の絶縁フィルム７の電力線６を、他方の絶縁フィルム７の電力線６が形成されていない部分に接触させるとともに、一方のガイドロッド２７によって両絶縁フィルム７の対向状態にある電力線６どうしを離間した状態に保持して、電気的接続を遮断した状態に保持するようになっている。
【００５２】
これによって、必要な時に発光体８による照明を行うことができ節電効果を期待することができる。
【００５３】
さらに、図１３に示すように、自転車のハンドル２２に支持プレート２８を取り付けておき、また、前記通信携帯端末３の前記発光体８が止着される側の反対側にクリップ２９を取り付けておき、このクリップ２９によって前記支持プレート２８を挟み込むことにより、前記通信携帯端末３をハンドル２２に取り付けるようにすることも可能である。
【符号の説明】
【００５４】
１  照明器具
２  二次電池
３  通信携帯端末本体
３ａ  電池収納凹部
４  電極
５  電極
６  電力線
６ａ  接続部
６ｂ  接続部
７  絶縁フィルム
８  発光体
９  電池カバー
１０  電極
１１  電極
２０  自転車
２１  ヘッドライト
２２  ハンドル
２３  ホルダー
２４  スイッチ
２５  スライダー
２５ａ  貫通孔
２６  押圧ロッド
２７  ガイドロッド
２８  支持プレート
２９  クリップ
【図１】
0003172916.tif 000003
【図２】
0003172916.tif 000004
【図３】
0003172916.tif 000005
【図４】
0003172916.tif 000006
【図５】
0003172916.tif 000007
【図６】
0003172916.tif 000008
【図７】
0003172916.tif 000009
【図８】
0003172916.tif 000010
【図９】
0003172916.tif 000011
【図１０】
0003172916.tif 000012
【図１１】
0003172916.tif 000013
【図１２】
0003172916.tif 000014
【図１３】
0003172916.tif 000015